(57)【特許請求の範囲】
【請求項１】
入射光束を変調する光変調装置と、前記光変調装置にて変調された光束を投射する投射光学装置と、前記光変調装置を冷却する冷却装置とを備えたプロジェクターであって、
前記光変調装置は、
光束の入射側端面が前記投射光学装置の光軸に略平行となるように配設され、
前記冷却装置は、
空気を吸入して吐出する冷却ファンと、
前記冷却ファンから吐出された空気を前記光軸に略平行な方向に沿って流通させ、前記光変調装置の側方に排出する排出部を有するダクトとを備え、
前記ダクトは、
前記光軸に直交する平面で前記投射光学装置及び前記排出部を切断した場合に、前記排出部における切断面の上端及び下端間の第１中心と、前記光軸との各高さ位置が異なるように配設されており、
前記ダクトには、前記投射光学装置の外形形状に倣う側壁部が設けられている
ことを特徴とするプロジェクター。
【請求項２】
請求項１に記載のプロジェクターにおいて、
前記冷却ファンは、
空気を吐出する吐出口を前記光軸に直交する平面で切断した場合に、前記吐出口における切断面の上端及び下端間の第２中心と、前記第１中心との各高さ位置が略一致するように配設されている
ことを特徴とするプロジェクター。
【発明の詳細な説明】
【技術分野】
【０００１】
本発明は、プロジェクターに関する。
【背景技術】
【０００２】
従来、液晶パネル等の３つの光変調装置と、各光変調装置にて変調された各色光を合成する色合成光学装置（クロスダイクロイックプリズム）と、合成光を投射する投射光学装置（投射レンズ）とを備えたプロジェクターが知られている（例えば、特許文献１参照）。
特許文献１に記載のプロジェクターでは、光変調装置を冷却するために、投射光学装置のレンズ光軸に略平行となる方向に空気を吐出するように投射光学装置に近接させてシロッコファンを配設している。
そして、シロッコファンから吐出された空気は、光束の入射側端面がレンズ光軸に略平行となるように配設された光変調装置（以下、第１光変調装置）の側方に送風され、第１光変調装置の光入射側及び光出射側を流通して、第１光変調装置を冷却する。
【先行技術文献】
【特許文献】
【０００３】
【特許文献１】特開２００１−２８１６１３号公報
【発明の概要】
【発明が解決しようとする課題】
【０００４】
特許文献１では、投射光学装置と色合成光学装置とは、上方側からの平面視で左右方向の長さ寸法が略同一に設定されている。すなわち、投射側から見た場合に第１光変調装置が投射光学装置から外れた位置に配設されることとなるため、上述したようにシロッコファンを配設することで、シロッコファンからの空気をレンズ光軸に略平行となる方向から第１光変調装置の側方に送風できる。
しかしながら、近年では光変調装置や色合成光学装置の小型化が促進されているため、投射側から見た場合、第１光変調装置は、投射光学装置により隠された位置に配設されることとなる。このため、小型化が促進された現状では、上述したようにシロッコファンを配設しても、シロッコファンからの空気をレンズ光軸に略平行となる方向から第１光変調装置の側方に送風することはできない。
そして、シロッコファンからの空気を第１光変調装置の側方に送風するためには、上方側からの平面視でシロッコファンからの空気の吐出方向をレンズ光軸に対して所定角度、傾斜させることが考えられる。
しかしながら、上述したように吐出方向を傾斜させた場合には、第１光変調装置の側方に空気が送風されても、第１光変調装置の光入射側（色合成光学装置と第１光変調装置との間）に空気が入り込み難く、第１光変調装置の冷却効率が低下してしまう。
【０００５】
本発明の目的は、光変調装置を効果的に冷却できるプロジェクターを提供することにある。
【課題を解決するための手段】
【０００６】
本発明のプロジェクターは、入射光束を変調する光変調装置と、前記光変調装置にて変調された光束を投射する投射光学装置と、前記光変調装置を冷却する冷却装置とを備えたプロジェクターであって、前記光変調装置は、光束の入射側端面が前記投射光学装置の光軸に略平行となるように配設され、前記冷却装置は、空気を吸入して吐出する冷却ファンと、前記冷却ファンから吐出された空気を前記光軸に略平行な方向に沿って流通させ、前記光変調装置の側方に排出する排出部を有するダクトとを備え、前記ダクトは、前記光軸に直交する平面で前記投射光学装置及び前記排出部を切断した場合に、前記排出部における切断面の上端及び下端間の第１中心と、前記光軸との各高さ位置が異なるように配設されていることを特徴とする。
【０００７】
ここで、光変調装置の側方とは、光変調装置において、投射光学装置から光束が投射される投射側の端部を意味するものである。
本発明では、冷却装置を構成するダクトは、空気を投射光学装置の光軸に略平行な方向に沿って流通させて光変調装置の側方に排出する排出部の上述した第１中心と、投射光学装置の光軸との各高さ位置（例えば、外装筐体の底面部からの高さ位置）が異なるように配設されている。
このことにより、投射光学装置が光軸に沿って延びる略円柱形状であることを利用して、投射側から見て投射光学装置の斜め上方側あるいは斜め下方側の空間に排出部を配設できる。このため、第１中心と投射光学装置の光軸との各高さ位置が略一致するようにダクトを配設した構成と比較して、上方側からの平面視で投射光学装置の光軸に排出部を近付けることができる。
したがって、光変調装置等の小型化により投射側から見て光変調装置が投射光学装置により隠された位置に配設されている場合であっても、排出部を流通した後の空気を光変調装置の側方に送風することで、光変調装置の光入射側及び光出射側の双方に空気を円滑に流通させることができ、光変調装置を効果的に冷却できる。
【０００８】
本発明のプロジェクターでは、前記ダクトには、前記投射光学装置の外形形状に倣う側壁部が設けられていることが好ましい。
本発明では、ダクトに上述した側壁部が設けられているので、ダクトに上述した側壁部が設けられていない構成（例えば、矩形の外形形状を有する構成）と比較して、上方側からの平面視で投射光学装置の光軸に排出部をさらに近付けることができる。このため、光変調装置の光入射側に空気を良好に送り込むことができ、光変調装置をさらに効果的に冷却できる。
また、投射光学装置の外形形状に倣うようにダクトの側壁部を形成することで、ダクトにおける流路断面積を増加させることができ、光変調装置の側方に送風する空気の流量を十分に確保できる。このため、光変調装置をさらに効果的に冷却できる。
【０００９】
本発明のプロジェクターでは、前記冷却ファンは、空気を吐出する吐出口を前記光軸に直交する平面で切断した場合に、前記吐出口における切断面の上端及び下端間の第２中心と、前記第１中心との各高さ位置が略一致するように配設されていることが好ましい。
本発明では、冷却装置を構成する冷却ファンが上述したように配設されているので、ダクトにおいて、冷却ファンからの空気を排出部に導く部位を曲折した形状とする必要がない。すなわち、前記部位の流路を略直線状に設定できるので、前記部位での圧力損失を低減させて光変調装置の側方に送風する空気の風量を十分に確保でき、光変調装置をさらに効果的に冷却できる。
【図面の簡単な説明】
【００１０】
【図１】本実施形態におけるプロジェクターの内部構成を模式的に示す平面図。
【図２】本実施形態における冷却装置の構成を模式的に示す図。
【図３】本実施形態における冷却装置の構成を模式的に示す図。
【図４】本実施形態における排出部の配設位置を模式的に示す図。
【図５】本実施形態における冷却ファンの配設位置を模式的に示す図。
【発明を実施するための形態】
【００１１】
以下、本発明の実施の一形態を図面に基づいて説明する。
〔プロジェクターの構成〕
図１は、プロジェクター１の内部構成を模式的に示す平面図である。
なお、以下では、説明の便宜上、後述する投射レンズ３６が配置される側を「前面」とし、その反対側を「背面」とする。
プロジェクター１は、画像情報に応じて光束を変調し、スクリーン（図示略）上に投射する。このプロジェクター１は、図１に示すように、外装を構成する外装筐体２と、外装筐体２内部に配設される光学ユニット３及び冷却装置４（図１では一部の構成部材（冷却ファン５）のみを図示）とを備える。
【００１２】
〔外装筐体の構成〕
外装筐体２は、図１に示すように、天面部（図示略）及び底面部２１と、側面部２２〜２５（以下、前面側の側面部を前面部２２、背面側の側面部を背面部２３）とを備え、略直方体形状を有する。
【００１３】
〔光学ユニットの構成〕
光学ユニット３は、画像情報（画像信号）に応じて変調して投射するものであり、図１に示すように、背面部２３に沿って延出するとともに、一端側が前面部２２に向けて延出する平面視略Ｌ字形状を有する。
この光学ユニット３は、図１に示すように、光源ランプ３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、光変調装置としての３つの液晶パネル３５１、３つの入射側偏光板３５２、３つの出射側偏光板３５３、及び色合成光学装置としてのクロスダイクロイックプリズム３５４を有する光学装置３５と、投射光学装置としての投射レンズ３６と、これら各部材３１〜３５を内部に設定された照明光軸Ａｘ上の所定位置に配設するとともに投射レンズ３６を支持する光学部品用筐体３７とを備える。
【００１４】
そして、光学ユニット３では、上述した構成により、光源装置３１から出射され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調される。変調された各色光は、プリズム３５４にて合成されて、投射レンズ３６にてスクリーンに投射される。
なお、図１では、説明の便宜上、Ｒ色光側の液晶パネル３５１、入射側偏光板３５２、及び出射側偏光板３５３をＲ側部材３５０Ｒとし、Ｇ色光側及びＢ色光側も同様にＧ側部材３５０Ｇ及びＢ側部材３５０Ｂとしている。以降の図も同様である。
【００１５】
本実施形態では、投射レンズ３６は、円筒状の鏡筒３６Ａを有し、その直径がプリズム３５４における左右方向の長さ寸法（Ｒ色光の入射側端面３５４Ｒ（図１）とＢ色光の入射側端面３５４Ｂ（図１）との離間寸法）よりも大きくなるように構成されている。また、投射レンズ３６は、レンズ光軸ＯＡｘが照明光軸Ａｘ（プリズム３５４における合成した画像を出射する出射側端面３５４Ｅ（図１）の略中心位置）に対して上方側にずれた位置となるように配設されている（図４参照）。すなわち、プリズム３５４にて合成された画像は、投射レンズ３６における下方側のレンズ領域に入射し、当該下方側のレンズ領域により上方側に投射される（あおり投射）。
そして、投射レンズ３６の上述した構成により、Ｂ色光側の液晶パネル３５１は、前面側から見て、その配設位置が投射レンズ３６の配設位置に重畳し、投射レンズ３６にて隠されるように配設されることとなる（図４参照）。
【００１６】
〔冷却装置の構成〕
図２及び図３は、冷却装置４の構成を模式的に示す図である。具体的に、図２は冷却装置４を背面上方側から見た斜視図であり、図３は図２の冷却装置４から蓋体６２を取り外した図である。
冷却装置４は、図１に示すように、投射レンズ３６に近接して設けられ、光学装置３５に空気を送付して冷却する。この冷却装置４は、図１ないし図３に示すように、冷却ファン５と、流路形成部６（図２、図３）と、ダクト７（図２、図３）とを備える。
【００１７】
〔冷却ファンの構成〕
冷却ファン５は、ファン回転方向に対して前向きに曲がった複数の羽根を有する、所謂、シロッコファンで構成され、図１ないし図３に示すように、投射レンズ３６に対して前面側から見て右側方に配設されている。
より具体的に、冷却ファン５は、図１ないし図３に示すように、空気を吸入する吸入口５１が上方側（外装筐体２の天面部側）に向き、空気を吐出する吐出口５２が前面側から見て左斜め後方に向くように（空気の吐出方向がレンズ光軸ＯＡｘに対して所定角度（例えば４５°）で傾斜するように）配設されている。
なお、冷却ファン５の配設位置の詳細については、後述する。
【００１８】
〔流路形成部の構成〕
流路形成部６は、冷却ファン５から吐出されダクト７を介した空気を、Ｂ側部材３５０Ｂ、Ｇ側部材３５０Ｇ、及びＲ側部材３５０Ｒの順に流通させる。この流路形成部６は、図２または図３に示すように、本体部６１と、蓋体６２（図２）とを備える。
本体部６１は、図２または図３に示すように、内周壁６１Ａ（図３）、外周壁６１Ｂ、及び底壁６１Ｃを有する容器状に形成されている。
内周壁６１Ａは、プリズム３５４におけるＲ，Ｇ，Ｂの各色光が入射する各入射側端面３５４Ｒ，３５４Ｇ，３５４Ｂ（図１、図３）を囲む平面視略Ｕ字形状を有する。
なお、具体的な図示は省略したが、内周壁６１Ａには、各部材３５０Ｒ，３５０Ｇ，３５０Ｂを介したＲ，Ｇ，Ｂの各色光をプリズム３５４に入射させるための３つの開口部が形成されている。
そして、内周壁６１Ａには、図３に示すように、各入射側端面３５４Ｒ，３５４Ｇ，３５４Ｂにそれぞれ対向するように、液晶パネル３５１及び出射側偏光板３５３が支持部材３５５を介してそれぞれ取り付けられる。
【００１９】
また、内周壁６１Ａにおける前面側の端部同士は、プリズム３５４における合成された画像が出射される出射側端面３５４Ｅ（図１、図３）を覆うように接続壁６１Ｄ（図３）により接続されている。
この接続壁６１Ｄには、プリズム３５４にて合成された光を通過させるための開口部６１Ｄ１（図４、図５参照）が形成されている。
この接続壁６１Ｄは、プリズム３５４にて合成された光のみを開口部６１Ｄ１を介して通過させ、不要な光（漏れ光）を遮光して投射レンズ３６に入射することを防止する機能を有している。
【００２０】
外周壁６１Ｂは、内周壁６１Ａに対してＲ，Ｇ，Ｂの各入射側に位置し、内周壁６１Ａに略平行となる平面視略Ｕ字形状を有する。
なお、具体的な図示は省略したが、外周壁６１Ｂには、各入射側偏光板３５２を介したＲ，Ｇ，Ｂの各色光を通過させるための３つの開口部が形成されている。
そして、外周壁６１Ｂには、図２または図３に示すように、３つの入射側偏光板３５２が前記３つの開口部を閉塞するようにそれぞれ取り付けられる。
底壁６１Ｃは、内周壁６１Ａ及び外周壁６１Ｂの底面部２１側の各端部同士を接続する。
【００２１】
そして、本体部６１は、蓋体６２により上方側が閉塞されることで、冷却ファン５から吐出されダクト７を介した空気を、平面視略Ｕ字状の流路Ｃ（図３）に沿って水平方向に流通させる。すなわち、本体部６１は、平面視略Ｕ字状の流路Ｃに沿って、各部材３５０Ｒ，３５０Ｇ，３５０Ｂの側方から、Ｂ側部材３５０Ｂ、Ｇ側部材３５０Ｇ、Ｒ側部材３５０Ｒの順に空気を流通させる。流路Ｃを辿る空気は、液晶パネル３５１の光入射側及び光出射側を流通し、各部材３５０Ｒ，３５０Ｇ，３５０Ｂを冷却する。
【００２２】
〔ダクトの構成〕
ダクト７は、冷却ファン５から吐出された空気を流路形成部６内部に導入させる。このダクト７は、図２または図３に示すように、導入部７１と、排出部７２とが一体化された断面略矩形状の筒体で構成されている。
導入部７１は、図２または図３に示すように、ダクト７外部の空気を内部に導入するための導入口７Ａが冷却ファン５の吐出口５２に接続し、上方側からの平面視で吐出口５２からの空気の延出方向に沿って略水平方向に延出するように形成されている。
【００２３】
排出部７２は、図２または図３に示すように、導入部７１の流路下流側に接続し、上方側からの平面視で投射レンズ３６のレンズ光軸ＯＡｘ（図４参照）に略平行して延出するように形成されている。また、排出部７２は、ダクト７内部の空気を外部に排出するための排出口（図示略）が流路形成部６におけるＢ側部材３５０Ｂの配設位置の前面側に接続し、流路形成部６内部に連通する。
すなわち、排出部７２は、光束の入射側端面３５１Ａ（図４参照）がレンズ光軸ＯＡｘに略平行する液晶パネル３５１（Ｂ側部材３５０Ｂ）の側方（液晶パネル３５１の前面側（投射側）の端部）に空気を送風する。
【００２４】
〔ダクトの配設位置〕
図４は、排出部７２の配設位置を模式的に示す図である。具体的に、図４は、レンズ光軸ＯＡｘに直交する平面で投射レンズ３６及び排出部７２を切断した状態を前面側から見た図である。
なお、図４では、説明の便宜上、各偏光板３５２，３５３の図示を省略している。
排出部７２は、図４に示すように、レンズ光軸ＯＡｘに直交する平面で投射レンズ３６及び排出部７２を切断した場合に、排出部７２における切断面の上端７２Ａ及び下端７２Ｂ間の第１中心ＣＤ及びレンズ光軸ＯＡｘの各高さ位置（底面部２１からの高さ位置）が異なるように配設されている。
より具体的に、排出部７２は、第１中心ＣＤの高さ位置がレンズ光軸ＯＡｘの高さ位置に対して低くなるように配設されている。
また、排出部７２は、図４に示すように、第１中心ＣＤの高さ位置が照明光軸Ａｘ（液晶パネル３５１の略中心位置）の高さ位置に対して低くなるように配設されている。
【００２５】
以上説明したダクト７において、前面側から見て左上方側の角隅部分には、図２ないし図４に示すように、投射レンズ３６（鏡筒３６Ａ）の外形形状に倣う側壁部７Ｂが形成されている。
すなわち、ダクト７は、側壁部７Ｂが投射レンズ３６の外周に当接し、投射レンズ３６に対して前面側から見て右斜め下方側に密接した状態で配設されている。
【００２６】
〔冷却ファンの配設位置〕
図５は、冷却ファン５の配設位置を模式的に示す図である。具体的に、図５は、レンズ光軸ＯＡｘに直交する平面で冷却ファン５の吐出口５２を切断した状態を前面側から見た図である。
なお、図５では、説明の便宜上、各偏光板３５２，３５３の図示を省略している。
冷却ファン５は、図５に示すように、レンズ光軸ＯＡｘに直交する平面で投射レンズ３６及び吐出口５２を切断した場合に、吐出口５２における切断面の上端５２Ａ及び下端５２Ｂ間の第２中心ＣＦ及び第１中心ＣＤの各高さ位置が略一致するように配設されている。
したがって、冷却ファン５の吐出口５２から吐出された空気は、導入部７１を介して水平方向に流通し、さらに、排出部７２を介してレンズ光軸ＯＡｘに略平行する方向に流通した後、Ｂ側部材３５０Ｂの側方に送風されることとなる。
【００２７】
上述した本実施形態によれば、以下の効果がある。
本実施形態では、冷却装置４を構成するダクト７は、排出部７２の第１中心ＣＤと、レンズ光軸ＯＡｘとの各高さ位置が異なるように配設されている。
このことにより、投射レンズ３６がレンズ光軸ＯＡｘに沿って延びる略円柱形状であることを利用して、前面側から見て投射レンズ３６の斜め下方側の空間に排出部７２を配設できる。このため、第１中心ＣＤとレンズ光軸ＯＡｘとの各高さ位置が略一致するようにダクト７を配設した構成と比較して、上方側からの平面視でレンズ光軸ＯＡｘに排出部７２を近付けることができる。
したがって、本実施形態のように前面側から見てＢ色光側の液晶パネル３５１が投射レンズ３６にて隠された位置に配設されている場合であっても、排出部７２を流通した後の空気をＢ側部材３５０Ｂの側方に送風することで、Ｂ側部材３５０Ｂを構成する液晶パネル３５１の光入射側及び光出射側の双方に空気を円滑に流通させることができ、当該液晶パネル３５１を効果的に冷却できる。
【００２８】
また、ダクト７に側壁部７Ｂが設けられているので、ダクト７に側壁部７Ｂが設けられていない構成（例えば、矩形の外形形状を有する構成）と比較して、上方側からの平面視でレンズ光軸ＯＡｘに排出部７２をさらに近付けることができる。このため、Ｂ側部材３５０Ｂを構成する液晶パネル３５１の光入射側に空気を良好に送り込むことができ、当該液晶パネル３５１をさらに効果的に冷却できる。
さらに、投射レンズ３６の外形形状に倣うようにダクト７の側壁部７Ｂを形成することで、ダクト７における流路断面積を増加させることができ、Ｂ側部材３５０Ｂの側方に送風する空気の流量を十分に確保できる。
【００２９】
また、冷却ファン５が第２中心ＣＦと第１中心ＣＤとの各高さ位置が略一致するように配設されているので、ダクト７において、冷却ファン５からの空気を排出部７２に導く導入部７１を曲折した形状とする必要がない。すなわち、導入部７１内部の流路を略直線状に設定できるので、導入部７１での圧力損失を低減させてＢ側部材３５０Ｂの側方に送風する空気の風量を十分に確保できる。
さらに、冷却ファン５の吐出方向がレンズ光軸ＯＡｘに対して所定角度で傾斜するように配設されているので、上方側からの平面視で導入部７１及び排出部７２間の角度を大きくすることができ、導入部７１及び排出部７２間での圧力損失も低減できる。
【００３０】
以上のようにダクト７から流路形成部６までの圧力損失が低減されるため、流路Ｃに沿って流通する空気の風量を十分に確保でき、全ての各部材３５０Ｒ，３５０Ｇ，３５０Ｂを効果的に冷却できる。
【００３１】
なお、本発明は前述の実施形態に限定されるものではなく、本発明の目的を達成できる範囲での変形、改良等は本発明に含まれるものである。
前記実施形態では、冷却ファン５及びダクト７により、Ｂ側部材３５０Ｂの側方に空気を送風する構成としていたが、これに限らない。
例えば、ダクト７及び冷却ファン５の配設位置を変更して、Ｒ側部材３５０Ｒの側方に空気を送風する構成としても構わない。
また、例えば、各部材３５０Ｒ，３５０Ｇ，３５０Ｂの配設位置を変更し、Ｇ側部材３５０Ｇの側方に空気を送風する構成としても構わない。
前記実施形態では、流路形成部６は、各部材３５０Ｒ，３５０Ｇ，３５０Ｂに空気を流通させるように構成されていたが、例えば、Ｂ側部材３５０Ｂのみに空気を流通させる平面視Ｉ字状に構成してもよく、あるいは、各部材３５０Ｂ，３５０Ｇのみに空気を流通させる平面視略Ｌ字状に構成しても構わない。
【００３２】
前記実施形態では、投射レンズ３６のレンズ光軸ＯＡｘが照明光軸Ａｘに対して上方側にずれた位置となるように配設された構成（あおり投射の構成）に本発明を採用したが、これに限らない。すなわち、レンズ光軸ＯＡｘが照明光軸Ａｘと合致した構成としてもよく、このような構成に本発明を採用しても前記実施形態と同様の効果を享受できるものである。
前記実施形態では、照明光軸Ａｘの高さ位置に対して第１中心ＣＤの高さ位置を低い位置に設定していたが、これに限らない。例えば、照明光軸Ａｘと第１中心ＣＤとの各高さ位置を略一致させた構成としても構わない。
【００３３】
前記実施形態では、各部材３５０Ｒ，３５０Ｇ，３５０Ｂから出射されたＲ，Ｇ，Ｂの各色光を合成する構成としてクロスダイクロイックプリズム３５４を採用していたが、これに限らず、複数のダイクロイックミラーを用いた構成としても構わない。
前記実施形態において、プロジェクター１は、３つの液晶パネル３５１を備える構成としたが、本発明はこれに限らない。すなわち、１つ、２つ、あるいは、４つ以上の液晶パネルを用いたプロジェクターにも、本発明を適用可能である。
前記実施形態において、光変調装置としては、透過型の液晶パネルの他、反射型の液晶パネルを採用しても構わない。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００３４】
本発明は、プレゼンテーションやホームシアター等に用いられるプロジェクターに利用できる。
【符号の説明】
【００３５】
１・・・プロジェクター、４・・・冷却装置、５・・・冷却ファン、７・・・ダクト、７Ｂ・・・側壁部、３６・・・投射レンズ（投射光学装置）、５２・・・吐出口、５２Ａ，７２Ａ・・・上端、５２Ｂ，７２Ｂ・・・下端、７２・・・排出部、３５１・・・液晶パネル（光変調装置）、３５１Ａ・・・入射側端面、ＣＤ・・・第１中心、ＣＦ・・・第２中心、ＯＡｘ・・・レンズ光軸。
【図１】
0005471708.tif 000002
【図２】
0005471708.tif 000003
【図３】
0005471708.tif 000004
【図４】
0005471708.tif 000005
【図５】
0005471708.tif 000006